(57)【要約】【課題】  容易に製造することができ、しかも狭ピッチで同軸ケーブルを確実に接続できるコネクタを提供する。【解決手段】  ハウジングをコンタクト支持基板とカバー基板とに分割し、先端に切込部により２つに分岐するくちばし状の接続部を設けてなる細線状の複数のコンタクトピンを、上記接続部を上記コンタクト支持基板の上面から突出して千鳥状に２列に配設するとともに、上記コンタクト支持基板の端部へ整列されて引き出して上記コンタクト支持基板に保持し、上記カバー基板の一面に上記千鳥状に配設された複数の接続部に対応するように複数の挿入孔を設け、このカバー基板を、上記突出する接続部の先端を対応する上記挿入孔に挿入させて、上記コンタクト支持基板に結合するようにした。【選択図】          図１
2005123038.tif 000002
【特許請求の範囲】
【請求項１】
コンタクト支持基板にカバー基板を結合してなるハウジングと、先端に切込部により２つに分岐するくちばし状の接続部を設けてなる細線状の複数のコンタクトピンとを有し、
上記複数のコンタクトピンは、上記接続部を上記コンタクト支持基板の上面から突出して千鳥状に２列に配設されるとともに、上記コンタクト支持基板の端部へ整列されて引き出されて上記コンタクト支持基板に保持され、
上記カバー基板は、その一面に上記千鳥状に配設された複数の接続部に対応するように複数の挿入孔が設けられており、上記突出する接続部の先端を対応する上記挿入孔に挿入させて、上記コンタクト支持基板に結合できるようにしたことを特徴とするコネクタ。
【請求項２】
上記コネクタは、さらに端縁に複数の切込部が設けられたグランド端子を有し、
上記コンタクトピンが上記コンタクト支持基板の端部の上面側へ引き出されており、しかも上記グランド端子が、その複数の切込部を上記コンタクト支持基板の上面から、上記複数のコンタクトピンの複数の接続部と所定間隔隔てて対向するように突出するとともに、上記コンタクトピンと同じ上記コンタクト支持基板の端部の下面側へ引き出されて上記コンタクト支持基板に保持されていることを特徴とする請求項１に記載のコネクタ。
【請求項３】
コンタクト支持基板にカバー基板を結合してなるハウジングと、先端に切込部により２つに分岐するくちばし状の接続部を設けてなる細線状の複数のコンタクトピンと、複数の電線とを有し、
上記複数のコンタクトピンは、上記接続部を上記コンタクト支持基板の上面から突出して千鳥状に２列に配設されるとともに、上記コンタクト支持基板の端部へ整列されて引き出されて上記コンタクト支持基板に保持され、
上記複数の電線は、芯線及び該芯線を覆う被覆チューブを有し、その先端部において芯線が上記接続部の上記切込部に挟み込まれて対応するコンタクトピンにそれぞれ接続され、
上記カバー基板は、その一面に上記千鳥状に配設された複数の接続部に対応するように複数の挿入孔が設けられており、上記複数の電線の芯線を上記切込部に挟み込むように対応するコンタクトピンにそれぞれ接続した状態で、上記突出する接続部の先端を対応する上記挿入孔に挿入させて、上記コンタクト支持基板に結合してなることを特徴とするコネクタ。
【請求項４】
上記コネクタは、さらに端縁に複数の切込部が設けられたグランド端子を有し、
上記コンタクトピンが上記コンタクト支持基板の端部の上面側へ引き出されており、しかも上記グランド端子は、その複数の切込部を上記コンタクト支持基板の上面から、上記複数のコンタクトピンの複数の接続部と所定間隔隔てて対向するように突出するとともに、上記コンタクトピンと同じ上記コンタクト支持基板の端部の下面側へ引き出されて上記コンタクト支持基板に保持されており、
上記電線は、上記芯線及び上記被覆チューブを覆うシールド導体層を有しており、該シールド導体層が上記グランド端子の切込部に挟み込まれて上記グランド端子に接続されることを特徴とする請求項３に記載のコネクタ。
【発明の詳細な説明】
【技術分野】
【０００１】
本発明は、コネクタに関し、特にノート型パソコン、折り畳み式携帯電話機等の電子機器内に使用される同軸ケーブル用コネクタに関する。
【背景技術】
【０００２】
近年、ノート型パソコン、携帯電話機、デジタルビデオカメラ等の小型電子機器において、使い勝手の良さから、液晶等の表示装置が本体に対して折り合わされたり回転できたりと、様々な態様で可動可能に取り付けられたものが広く普及されるようになってきている。この表示装置は、本体にヒンジにより取り付けられ、本体側に配設されたマザーボード等のメイン基板と電気的に接続されるが、このとき、一般的に同軸ケーブルが接続されたコネクタが用いられている。この同軸ケーブルは、ヒンジ部内を介して電気接続する場合に有効に用いられるものであり、ノイズ対策のためにシールド機能を付与する場合に用いられるものである。
【０００３】
従来、このような同軸ケーブルに対応するコネクタとして、下記特許文献１に記載のコネクタが提案されている。このコネクタは、ケーブルの芯線を水平方向から挟むように対向する一対の板ばねからなる接続端子と、該接続端子を支承し、かつ露出させるハウジングと、該ハウジングにスライド自在なスライダーであって、前記ハウジングに向けスライドさせた際に、前記接続端子を前記ケーブルの芯線へ向け押圧し、前記接続端子と前記ケーブルの芯線とを電気的接続する押圧部を有するスライダーとを備えるものである。
【特許文献１】特開２００２−２５６６６号公報
【発明の開示】
【発明が解決しようとする課題】
【０００４】
近年ますますの電子機器の小型化とともに高機能化も進み、同軸ケーブルの細線化が図られ、例えば０．２〜０．６ｍｍという細線径の同軸ケーブルが開発されてきており、この極細の同軸ケーブルを用いた高密度配線が要求されるようになってきている。
【０００５】
しかしながら、上記従来のコネクタでは、同軸ケーブルと接続端子との接続作業は容易となるものの、狭ピッチ化が進むと、ハウジングにおける接続端子間の絶縁壁を設けるスペースが不十分となってしまう。また、一対の板ばねからなる接続端子を狭いスペースに複数並設する必要があるなどコネクタの製造が困難である。
【０００６】
さらに、上記従来のコネクタでは、同軸ケーブルの先端部に露出する芯線の先端を接続端子の板ばね間に挿入するようにして接続するために、芯線が撚り線からなる場合に、撚り線が解けていれば挿入が困難となるばかりか解けた芯線の解けた部分が所定の接続端子から飛び出すこととなり接続信頼性に欠けるものとなる。
【０００７】
本発明は、上記のような現状に鑑みなされたもので、容易に製造することができ、しかも狭ピッチで同軸ケーブルを確実に接続できるコネクタを提供することを目的とする。
【課題を解決するための手段】
【０００８】
上記課題を解決するために、本発明のコネクタは、コンタクト支持基板にカバー基板を結合してなるハウジングと、先端に切込部により２つに分岐するくちばし状の接続部を設けてなる細線状の複数のコンタクトピンとを有し、上記複数のコンタクトピンは、上記接続部を上記コンタクト支持基板の上面から突出して千鳥状に２列に配設されるとともに、上記コンタクト支持基板の端部へ整列されて引き出されて上記コンタクト支持基板に保持され、上記カバー基板は、その一面に上記千鳥状に配設された複数の接続部に対応するように複数の挿入孔が設けられており、上記突出する接続部の先端を対応する上記挿入孔に挿入させて、上記コンタクト支持基板に結合できるようにしたことを特徴とする。
【０００９】
このコネクタによれば、コンタクトピンの接続部を千鳥状に配設しているので、接続部を狭ピッチにおいて配設できる。また、接続部間の距離を比較的余裕を持ってとることができるとともに、接続部に対して、電線の先端部の露出させた芯線の中途部を上から圧接して確実に接続でき、接続信頼性を向上できるのである。また、コンタクトピンの接続部に、切込部により２つに分岐するくちばし状の構成を用いているので、芯線が被覆チューブで覆われた状態の電線を接続部の切込部内に圧接することにより、上記被覆チューブが破断して上記芯線を上記接続部に接続することができ、芯線が隣接する電線の芯線に接触してショートすることを確実に防止でき、より接続信頼性を向上できるとともに、電線をその前処理を容易にしてコンタクトピンに接続することができる。
【００１０】
また、本発明のコネクタは、上記の構成を有するコネクタにおいて、上記コネクタは、さらに端縁に複数の切込部が設けられたグランド端子を有し、上記コンタクトピンが上記コンタクト支持基板の端部の上面側へ引き出されており、しかも上記グランド端子が、その複数の切込部を上記コンタクト支持基板の上面から、上記複数のコンタクトピンの複数の接続部と所定間隔隔てて対向するように突出するとともに、上記コンタクトピンと同じ上記コンタクト支持基板の端部の下面側へ引き出されて上記コンタクト支持基板に保持されていることを特徴とする。
【００１１】
このコネクタによれば、さらに同軸ケーブルのようなノイズ除去のためのシールド導体層を有する電線に好ましく適用できるのである。すなわち、電線の芯線をコンタクトピンの接続部に圧接してコンタクトピンに接続するとともに、芯線を覆う外層であるシールド導体層をグランド端子の切込部に圧接などしてグランド端子に接続することができ、容易な接続方法でシールド機能を付与することができるのである。
【００１２】
さらに本発明は、コンタクト支持基板にカバー基板を結合してなるハウジングと、先端に切込部により２つに分岐するくちばし状の接続部を設けてなる細線状の複数のコンタクトピンと、複数の電線とを有し、上記複数のコンタクトピンは、上記接続部を上記コンタクト支持基板の上面から突出して千鳥状に２列に配設されるとともに、上記コンタクト支持基板の端部へ整列されて引き出されて上記コンタクト支持基板に保持され、上記複数の電線は、先端に露出する芯線を上記接続部の上記切込部に挟み込むように対応するコンタクトピンにそれぞれ接続され、上記カバー基板は、その一面に上記千鳥状に配設された複数の接続部に対応するように複数の挿入孔が設けられており、上記複数の電線の芯線を上記切込部に挟み込むように対応するコンタクトピンにそれぞれ接続した状態で、上記突出する接続部の先端を対応する上記挿入孔に挿入させて、上記コンタクト支持基板に結合してなることを特徴とするコネクタを包含する。
【００１３】
また、上記電線を取り付けたコネクタにおいて、上記コンタクトピンが上記コンタクト支持基板の端部の上面側へ引き出されており、さらに端縁に複数の切込部が設けられたグランド端子を有し、該グランド端子は、その複数の切込部を上記コンタクト支持基板の上面から、上記複数のコンタクトピンの複数の接続部と所定間隔隔てて対向するように突出するとともに、上記コンタクトピンと同じ上記コンタクト支持基板の端部の下面側へ引き出されて上記コンタクト支持基板に保持されており、上記電線は、上記芯線を覆うシールド導体層を有しており、該シールド導体層が上記グランド端子の切込部に挟み込まれて上記グランド端子に接続されることを特徴とするコネクタをも包含する。
【発明の効果】
【００１４】
本発明によれば、複数の電線を狭ピッチにおいて確実に接続でき、小型電子機器の高密度配線に優れた、接続信頼性の高いコネクタを提供することができる。
【発明を実施するための最良の形態】
【００１５】
以下本発明を実施するための最良の形態を示すことにより、本発明の特徴とするところをより詳細に説明する。
【００１６】
図１に本発明の実施の形態に係るコネクタの（１）斜視図、（２）上面図及び（３）断面図を示す。コネクタは、コンタクト保持基板１０とこれと結合されるカバー基板２０とからなるハウジングと、コンタクト保持基板１０に保持される複数のコンタクトピン（接続端子）３０及びグランド端子５０とを備える。
【００１７】
コンタクト保持基板１０は、上面視矩形状の拡張部１０ａとこれより僅かに幅狭に形成され同じく上面視矩形状の縮小部１０ｂとからなり、この縮小部１０ｂの一方の長辺縁が拡張部１０ａの一方の長辺縁の中央部に接続されて、全体として上面視略矩形状の板状体をなしている。拡張部１０ａの厚みは、縮小部１０ｂの厚みよりも僅かに厚くされ、これら拡張部１０ａと縮小部１０ｂとは上面側で略同平面となるように、また下面側で段部（段差）が形成されて接続されている。また、カバー基板２０は、コンタクト保持基板１０の拡張部１０ａとほぼ同様の上面視矩形状の板状体をなし、拡張部１０ａ上に結合されて用いられる。
【００１８】
図２に（１）カバー基板２０の斜視図及び（２）コンタクトピン３０及びグランド端子５０とを保持した状態のコンタクト保持基板１０の斜視図を示す。図２（１）に示すように、カバー基板２０の長手一端部（長辺側端部）には、その上面から下面へ貫通する複数の第１の挿入孔２１及び複数の第２の挿入孔２２とがそれぞれ一列上に並設されてなる第１の挿入孔列及び第２の挿入孔列が、カバー基板２０の長辺縁に平行に設けられている。第１の挿入孔列と第２の挿入孔列とは僅かに離間し、第１の挿入孔列がカバー基板２０の長辺縁に近く、第２の挿入孔列がそれより中央側に寄った位置に設けられている。これら第１の挿入孔列における複数の第１の挿入孔２１と第２の挿入孔列における複数の第２の挿入孔２２とは、カバー基板２０の長手方向に僅かにシフトさせて、２列の千鳥状をなすように設けられる。また、カバー基板２０の長手他端部には、当該カバー基板２０の上面から下面へ貫通するスリット状の長孔２３が、第１及び第２の挿入孔列と平行するように設けられている。さらに、カバー基板２０の短手両端部には、当該カバー基板２０の上面から下面へ貫通する一対の結合孔２４、２４が対向するように設けられている。
【００１９】
なお、カバー基板２０において、これら第１及び第２の挿入孔２１，２２、長孔２３並びに結合孔２４は、有底状の穴として、カバー基板の下面側に設けるようにしてもよい。
【００２０】
このカバー基板２０は、例えば、適当な金型を用い、当該金型内に溶融樹脂を射出成型（インジェクション成型）することにより容易に形成することができる。
【００２１】
コンタクト保持基板１０は、図２（２）に示すように、拡張部１０ａの縮小部１０ｂと接続する端部上面には、後述する複数のコンタクトピン３１，３２が、その先端に設けられた電線との接続部３１ａ，３２ａを、拡張部１０ａの長辺縁に平行し、カバー基板２０の複数の第１及び第２の挿入孔２１，２２と対応するように複数突出させられて２列の千鳥状に並設されて植設されている。これら複数のコンタクトピン３１，３２は、コンタクト保持基板１０（拡張部１０ａ）の内部を通って、平面方向に縮小部１０ｂの開放長手端縁へと延出されるが、このとき、縮小部１０ｂの上面でスリット状に露出させられ、再度縮小部１０ｂの内部から開放長手端縁へと、例えば約０．４ｍｍピッチで平行に並設されて導かれている。また、拡張部１０ａの縮小部１０ｂと接続する端部と対向する長手端部には、複数のコンタクトピン３１，３２の接続部３１ａ，３２ａの並設による列と平行し、カバー基板２０の長孔２３と対応するように、拡張部１０ａ（コンタクト保持基板１０）の上面から、後述するグランド端子５０が、その先端の櫛歯状のシールド接続部５０ａを突出させられて、植設されている。
【００２２】
なお、コンタクト保持基板１０の拡張部１０ａの下面は平面に形成され、上面は、後述するように、複数の電線４０をコンタクトピン３１，３２及びグランド端子５０に接続したときに、拡張部１０ａの上面に電線４０がその長手方向にわたって接触して横たわらせ、安定して保持するために、電線４０の各部位における径サイズに応じて僅かな段差を設けておくのが好ましい。また、縮小部１０ｂの上面は平面とし、下面は、後述する相手方コネクタに装着する場合に、グランド端子５０の後端が相手方コネクタの挿入間口周縁に引っかからないようにしてスムーズに挿入できるように、グランド端子５０を収容して略平面となるように切り欠き段部を設けておくのが好ましい。
【００２３】
また、コンタクト保持基板１０の拡張部１０ａには、その短手両端部上面から、対向するように一対の結合補助部材６０，６０が先端を突出させて植設されている。これら結合補助部材６０，６０は、その先端部を、カバー基板２０の一対の結合孔２４、２４に対応するようにコンタクト保持基板１０の上面から突出しており、例えば、コンタクトピン３１，３２やグランド端子５０と同じ材質とし得る。
【００２４】
このコンタクト保持基板１０は、例えば、適当な金型を用い、当該金型にコンタクトピン３１，３２の複数、グランド端子５０及び一対の結合補助部材６０，６０を所定の位置に配置した状態で、溶融樹脂を射出成型（インジェクション成型）することにより容易に一体形成することができる。なお、このとき結合補助部材６０，６０をコンタクト保持基板１０と一体的に形成した樹脂成型体としてもよい。
【００２５】
次に、コンタクトピン３０（３１，３２）の構造について説明する。本実施の形態では、長さの異なる２種類のコンタクトピン３１と３２とを用いる。図３（１）及び（２）は、コンタクトピン３１及び３２の斜視図である。コンタクトピン３１，３２としては、例えば、銅、銅合金等のコネクタの分野でコンタクトとして用いられる公知の材料からなるものを広く使用することができ、薄い板を所定の形状に打ち抜いた後に、曲げ加工することにより形成することができる。コンタクトピン３１、３２は、先端に垂直方向に延びる接続部３１ａ、３２ａを有し、当該接続部３１ａ，３２ａには、先端から中程にかけて徐々に狭小になるテーパーが付けられた後幅狭のスリット状となる、いわゆるワイングラス形状の切込部３１ａａ、３２ａａが設けられ、先端が２つに分岐する、所謂鳥のくちばし（ｂｉｒｄ  ｂｅａｋ）状に形成されている。また、この２つに分岐した各片の先端は、電線４０を当該片間（切込部３１ａａ，３２ａａ）に圧接して接続した後に、接続部３１ａ，３２ａの先端部をカバー基板２０の挿入孔２１，２２に挿入（圧入）しやすいように、先細りとなるテーパーが設けられている。そして、コンタクトピン３１，３２は、接続部３１ａ，３２ａの下端部において略直角に屈曲させられ水平方向に接続部３１ａ，３２ａの幅よりも狭く細長い第１の段部３１ｂ，３２ｂとなって延出された後、再度上方へ屈曲された後再度屈曲され第２の段部３１ｃ，３２ｃとして水平方向に延出される。このとき、第２の段部３１ｃ，３２ｃは、切込部３１ａａ，３２ａａの底面よりも低い位置になるようにすることが好ましい。その後、第２の段部３１ｃ，３２ｃは下方へ屈曲された後、再度屈曲され、第１の段部３１ｂ，３２ｂと略同じ高さに位置するように水平方向に第３の段部３１ｄ，３２ｄとなって延出する。
【００２６】
コンタクトピン３２の第１の段部３２ｂは、コンタクトピン３１の第１の段部３１ｂよりも長く設計され、コンタクトピン３１とコンタクトピン３２とは第１の段部３１ｂ，３２ｂの長さ以外は略同じ寸法、構造を有している。
【００２７】
図３（３）に長さの異なる２種類のコンタクトピン３０（３１，３２）のコンタクト保持基板１０における配置（配設）状態を示す。コンタクトピン３１とコンタクトピン３２とは、それぞれ複数、交互に、第３の段部３１ｄ，３２ｄを揃えるように平行に略等間隔に並設されることにより、複数のコンタクトピン３１の接続部３１ａが、例えば約０．８ｍｍピッチで、一列状に並べられ、その前方且つコンタクトピン３１の接続部３１ａ間に位置するように、長いほうの複数のコンタクトピン３２の接続部３２ａが、例えば約０．８ｍｍピッチで、一列状に並べられて、全体として、コンタクトピン３１，３２の接続部３１ａ，３２ａは、千鳥状に２列に配設されている。このように長さの異なる２種類のコンタクトピン３１，３２を先端の接続部３１ａ，３２ａの位置を僅かにずらせて千鳥状に配置した状態で、これらとともに一体成型してコンタクト保持基板１０をインジェクション成型することにより、コンタクト保持基板１０の拡張部１０ａの長辺縁に平行し、カバー基板２０の複数の第１及び第２の挿入孔２１，２２と対応するように、コンタクトピン３１，３２の接続部３１ａ，３２ａを２列の千鳥状に、拡張部１０ａの上面から突出させるとともに、コンタクトピン３１，３２の第２の段部３１ｃ，３２ｃの上面の全部又は一部がコンタクト保持基板１０の縮小部１０ｂの上面に露出させて植設することがでる。このときコンタクトピン３１，３２の接続部３１ａ，３２ａの切込部３１ａａ，３２ａａの全てがコンタクト保持基板１０の上面から露出（突出）していることが、電線４０を圧接して接続したときに電線を挟む押圧作用を効果的に働かせる上で好ましい。
【００２８】
また、コンタクトピン３１，３２の接続部３１ａ，３２ａの先端部をカバー基板２０の第１及び第２の挿入孔２１，２２内に圧入したときに、コンタクトピン３１，３２の接続部３１ａ，３２ａの２つに分岐した片同士は、切込部３１ａａ（３２ａａ）の幅が狭くなるように接近され、電線４０の先端部と適切な圧接が行えるように、コンタクトピン３１，３２の接続部３１ａ，３２ａの幅は、第１及び第２の挿入孔２１，２２の径よりも僅かに広く設計するのが好ましい。
【００２９】
図４にグランド端子５０の斜視図を示す。グランド端子５０としては、例えば、銅、銅合金等のコネクタの分野でコンタクトとして用いられる公知の材料からなるものを使用することができ、薄い板を所定の形状に打ち抜いた後に、曲げ加工することにより形成することができる。グランド端子５０は、略矩形状の板体からなり、この一辺端部の細長い部分を略垂直方向に屈曲させ、当該一辺縁（上端縁）から下方へ延びる複数の切込部５０ａａを複数略等間隔に設けることにより全体として櫛歯状のシールド接続部５０ａを有し、当該シールド接続部５０ａの下端縁から水平方向に下段部５０ｂとなって延出され、これから上方に屈曲された後再度屈曲されて上段部５０ｃとなって延出されている。切込部５０ａａは、シールド接続部５０ａの上端縁から中程まで略垂直に設けられ、コンタクトピン３１，３２の接続部３１ａ，３２ａの切込部３１ａａ，３２ａａと同様にワイングラス形状を有し、切込部３１ａａ，３２ａａよりも僅かに幅が広く設計されている。また、シールド接続部５０ａの高さ方向の長さは、コンタクト保持基板１０に植設したときに、シールド接続部５０ａの複数の切込部５０ａａがコンタクト保持基板１０の上面から露出（突出）し、下段部５０ｂが拡張部１０ａの下面上をならうように、上段部５０ｂが縮小部１０ｂの下面上をならうような長さに設計されることが好ましい。
【００３０】
また、上記においてはグランド端子５０及び結合補助部材６０，６０を別体として設けるようにしているが、図５に示すように、グランド端子５０の下段部５０ｂの両側縁から上方へ延出する略矩形状の板体として一対の結合補助部材６０，６０を一体的に設けてもよい。
【００３１】
このように、本実施の形態では、ハウジングをコンタクト保持基板１０とカバー基板２０とに分割するとともに、コンタクト保持基板１０を板状体とし、その上面からコンタクトピン３１，３２の接続部３１ａ，３２ａ及び／又はグランド端子５０のシールド接続部５０ａを突出させて配設するようにしているので、簡易な構造の金型により樹脂成型加工してコンタクトピン３１，３２及びグランド端子５０を植設したコンタクト保持基板１０を容易に得ることができる。また、カバー基板２０をも板状体としているので、簡易な構造の金型を用いて容易に樹脂成型加工することができる。
【００３２】
図６に本実施の形態で用いる同軸ケーブルである電線４０の一方端の斜視図を示す。電線４０は、例えば銅、銅合金等の細線の撚り線等からなる内部導体である芯線４０ａ、これを覆う絶縁性樹脂からなる絶縁体である内部被覆チューブ４０ｂ、当該内部被覆チューブ４０ｂの外側を覆う、例えば銅、銅合金等の細線の撚り線、網線からなる外部導体であるシールド導体層４０ｃ、及びこのシールド導体層４０ｃを覆う、絶縁性樹脂からなるジャケットである外部被覆チューブ４０ｄを有する。この電線４０としては、例えば汎用される公知の同軸ケーブル等を広く使用することができる。
【００３３】
電線４０は、本実施の形態のコネクタに接続される際には、その先端部を、図６に示すように、先端から芯線４０ａ、内部被覆チューブ４０ｂ及びシールド導体層４０ｃが順次露出するように剥離処理されて用いられ、先端の芯線４０ａがコンタクトピン３１，３２の接続部３１ａ，３２ａの切込部３１ａａ，３２ａａ内に挿入されて圧接されるとともに、シールド導体層４０ｃが露出する部分をグランド端子５０のシールド接続部５０ａの切込部５０ａａ内に挿入され、電気的に接続される。なお、電線４０のこれら各部位の径サイズは、例えば芯線４０ａの部位が約０．０５ｍｍ、内部被覆チューブ４０ｂの部位が約０．１６ｍｍ、シールド導体層４０ｃの部位が０．２２ｍｍ、及び外部被覆チューブ４０ｄの部位（電線４０の径）が０．２７ｍｍとすることができる。
【００３４】
また、電線４０を、図７に示すように、その先端部の外部被覆チューブ４０ｄ及びシールド導体層４０ｃを剥離処理して用いることもできる。すなわち、先端部の内部被覆チューブ４０ｂに覆われた芯線４０ａをコンタクトピン３１（３２）の接続部３１ａ（３２ａ）の切込部３１ａａ（３２ａａ）に挟み込むように圧接することにより、電線４０の先端部において内部被覆チューブ４０ｂが破断して芯線４０ａを接続部３１ａ（３２ａ）に電気的に接続することができるのである。また、電線４０の剥離処理をしていない部分をグランド端子５０のシールド接続部５０ａの切込部５０ａａに挟み込むように圧接することにより、外部被覆チューブ４０ｄが破断してシールド導体層４０ｃをグランド端子５０のシールド接続部５０ａに電気的に接続することができるのである。なお、このときコンタクトピン３１（３２）の接続部３１ａ（３２ａ）の切込部３１ａａ（３２ａａ）の幅を芯線４０ａの径よりも僅かに小さくするとともに、グランド端子５０のシールド接続部５０ａの切込部５０ａａの幅を内部被覆チューブ４０ｂの径よりも僅かに大きくしておくのが好ましい。
【００３５】
図８に本実施の形態のコネクタの組み立て工程を説明するための（１）斜視図及び（２）断面図を示す。先ず、図８（１）（ａ）及び図６（２）（ａ）に示すように、複数本の電線４０を、シールド導体層４０ｃの露出部分が一列となるように揃えて整列させた状態で、図８（１）（ｂ）及び図８（２）（ｂ）に示すように、これら電線をコンタクト保持基板１０の上方より、当該コンタクト保持基板１０の上面から突出する、それぞれの電線４０に対応するコンタクトピン３１，３２の接続部３１ａ，３２ａの切込部３１ａａ，３２ａａ及びグランド端子５０のシールド接続部５０ａの切込部５０ａａ内に適当な治具を用いて挿入し圧接する。このとき、電線４０は、コンタクト保持基板１０の拡張部１０ａの上面に接して横たわるように圧接するのが好ましく、このようにするために剥離処理（露出要素）に伴う電線の径の変化にならって拡張部１０ａ上面に段を設けるようにするのが好ましい。なお、これら図中の電線の構造は簡略して示している。
【００３６】
このようにして、各コンタクトピン３１，３２の接続部３１ａ，３２ａ及びグランド端子５０のシールド接続部５０ａの各切込部５０ａａに電線４０が接続された状態で、コンタクト保持基板１０の拡張部１０ａの上方から、これら接続部分をカバー基板２０で蓋をするようにして、コンタクト保持基板１０の拡張部１０ａにカバー基板２０を結合する。このとき、コンタクトピン３１，３２の接続部３１ａ，３２ａの先端部がそれぞれ対応するカバー基板２０の第１の挿入孔２１及び第２の挿入孔２２に挿入され、グランド端子５０のシールド接続部５０ａの先端部が対応するカバー基板２０の長孔２３に挿入され、コンタクト保持基板１０の拡張部１０ａの上面に突出する一対の結合補助部材６０，６０がそれぞれ対応するカバー基板２０の結合孔２４，２４に圧入されて保持される。また、電線４０がカバー基板２０の下面に接して横たわるように、カバー基板２０をコンタクト保持基板１０に結合するのが好ましく、このようにするために剥離処理（露出要素）に伴う電線の径の変化にならってカバー基板２０の下面に段を設けるようにするのが好ましい。
【００３７】
このように組み立てることにより、図１に示すような、複数の電線４０を接続したコネクタとすることができる。
【００３８】
次に、本実施の形態のコネクタが装着される相手方コネクタの一例について説明する。図９にこの相手方コネクタ１００の（１）上面図及び（２）断面図を示す。コネクタ１００は、ハウジング１０１、複数のコンタクトピン１０２及びグランド端子１０３を備える。ハウジング１０１は略立方体形状を有し、その前壁には、本実施の形態のコネクタのコンタクト保持基板１０の縮小部１０ｂが挿抜可能な間口１０１ａが設けられ、内部にはこの間口１０１ａと接続し、縮小部１０ｂをハウジング内に挿入したときにこれを収納できる空間１０１ｂが設けられている。ハウジング１０１の後壁には、細長い棒状（細線状）の複数のコンタクトピン１０２が整列した状態で上記後壁を貫通して保持されており、コンタクトピン１０２の先端部は上記空間１０１ｂ内に臨み下方へ屈曲されており、図１０に示すように、本実施の形態のコネクタを相手方コネクタ１００に装着したときに、すなわちコンタクト保持基板１０の縮小部１０ｂが上記空間１０１ｂ内に挿入されることにより上方へ持ち上げられ、縮小部１０ｂの上面に露出するコンタクトピン３１，３２の第２の段部３１ｃ，３２ｃに対して、復元力により押圧接触されて電気的に接続される。一方、コンタクトピン１０２の後端部は、ハウジング１０１の後壁から突出後下方へ屈曲された後、再度外方へ屈曲され、例えば折り畳み式携帯電話機のマザー基板のエッジ部に表面実装可能な実装面が形成されている。また、グランド端子１０３は、略矩形状の板状とされ、下面を、ハウジング１０１の下面側に露出し、上面をハウジング１０１の空間１０１ｂ内に露出させ、グランド端子１０３の先端部は上記空間１０１ｂ内に突出するように山状に屈曲されて、ハウジング１０１に保持され、当該山状に屈曲されることによる板バネの作用を利用して、本実施の形態のコンタクト保持基板１０の縮小部１０ｂを上記空間１０１ｂ内に挿入されてときに、本実施の形態のコネクタのグランド端子５０に押圧されてコンタクトされる。
【産業上の利用可能性】
【００３９】
本発明に係るコネクタは、狭ピッチで同軸ケーブルを確実に接続できるものであるので、例えば、液晶等の表示装置が取り付けられた部分が、マザーボード等のメイン回路基板の取り付けられた本体にヒンジにより取り付けられ、表示装置が本体に対して可動式になった小型電子機器において、ますますの小型化、多機能表示を可能とするために、表示装置と本体側のメイン回路基板とを電気的に接続するものとして有用である。
【図面の簡単な説明】
【００４０】
【図１】実施の形態に係るコネクタの（１）斜視図、（２）上面図及び（３）断面図である。
【図２】（１）カバー基板２０の斜視図及び（２）コンタクトピン３０及びグランド端子５０とを保持した状態のコンタクト保持基板１０の斜視図である。
【図３】（１）、（２）コンタクトピンの斜視図、及び（３）複数のコンタクトピンの配置状態を示す斜視図である。
【図４】グランド端子の斜視図である。
【図５】グランド端子に結合補助部材を一体的に形成したときのグランド端子の斜視図である。
【図６】同軸ケーブルである電線の一方端の斜視図である。
【図７】同軸ケーブルである電線の一方端の他の例の斜視図である。
【図８】コネクタの組み立て工程の説明図である。
【図９】実施の形態のコネクタが装着される相手方コネクタの一例の（１）上面図及び（２）断面図である。
【図１０】実施の形態のコネクタを相手方コネクタに装着した状態の断面図である。
【符号の説明】
【００４１】
１０    コンタクト保持基板
１０ａ    拡張部
１０ｂ    縮小部
２０    カバー基板
２１，２２    挿入孔
２３    長孔
２４    結合孔
３０（３１，３２）    コンタクトピン
３１ａ，３２ａ    接続部
３１ａａ，３２ａａ    切込部
４０    電線
４０ａ    芯線
４０ｃ    シールド導体層
５０    グランド端子
５０ａ    シールド接続部
５０ａａ    切込部
６０    結合補助部材
【図１】
2005123038.tif 000003
【図２】
2005123038.tif 000004
【図３】
2005123038.tif 000005
【図４】
2005123038.tif 000006
【図５】
2005123038.tif 000007
【図６】
2005123038.tif 000008
【図７】
2005123038.tif 000009
【図８】
2005123038.tif 000010
【図９】
2005123038.tif 000011
【図１０】
2005123038.tif 000012